(57)【要約】【課題】複数宛先のデータをデータ通信するときの通信品質を向上させることができる通信装置、データ通信方法およびデータ通信システムを提供することを目的とする。【解決手段】ネットワークを介して接続されている複数の他の通信装置との間でデータ通信を行う通信装置１０であって、他の通信装置から複数宛先のデータを受信する受信手段３２と、複数宛先のデータの受信に失敗したとき、受信失敗の応答信号を生成する応答信号生成手段３４と、複数宛先のデータの送信元に応答信号を送信する送信手段３１とを備えたことにより上記課題を解決する。【選択図】図５
2007306498.tif 000002
【特許請求の範囲】
【請求項１】
ネットワークを介して接続されている複数の他の通信装置との間でデータ通信を行う通信装置であって、
前記他の通信装置から複数宛先のデータを受信する受信手段と、
前記複数宛先のデータの受信に失敗したとき、受信失敗の応答信号を生成する応答信号生成手段と、
前記複数宛先のデータの送信元に前記応答信号を送信する送信手段と
を備えたことを特徴とする通信装置。
【請求項２】
前記応答信号生成手段は、受信予定の前記複数宛先のデータを示す情報に基づき、所定時間経過しても受信予定の前記複数宛先のデータを受信できなかったとき、前記複数宛先のデータの受信に失敗したと判定することを特徴とする請求項１記載の通信装置。
【請求項３】
受信予定の前記複数宛先のデータを示す情報は、事前に前記他の通信装置から受信しているか、又は前記複数宛先のデータの最初及び最後に埋め込まれていることを特徴とする請求項２記載の通信装置。
【請求項４】
ネットワークを介して接続されている複数の他の通信装置との間でデータ通信を行う通信装置であって、
複数宛先のデータを前記複数の他の通信装置に送信する送信手段と、
前記複数の他の通信装置の少なくとも一つから前記複数宛先のデータの受信失敗の応答信号を受信する受信手段と、
受信した前記複数宛先のデータの受信失敗の応答信号に基づき、前記複数宛先のデータの再送を前記送信手段に指示する再送判定手段と
を備えたことを特徴とする通信装置。
【請求項５】
前記再送判定手段は、前記受信手段が復元の出来ない応答信号を受信したとき、前記複数宛先のデータの受信失敗の応答信号を受信したものと判定することを特徴とする請求項４記載の通信装置。
【請求項６】
前記再送判定手段は、前記応答信号を受信するタイミングで、前記データ通信に利用している周波数帯で混信が発生したとき、前記複数宛先のデータの受信失敗の応答信号を受信したものと判定することを特徴とする請求項４記載の通信装置。
【請求項７】
前記通信装置は、無線通信を行うことを特徴とする請求項１乃至６何れか一項記載の通信装置。
【請求項８】
ネットワークを介して接続されている複数の他の通信装置との間でデータ通信を行う通信装置のデータ通信方法であって、
前記他の通信装置から複数宛先のデータを受信する受信ステップと、
前記複数宛先のデータの受信に失敗したとき、受信失敗の応答信号を生成する応答信号生成ステップと、
前記複数宛先のデータの送信元に前記応答信号を送信する送信ステップと
を備えたことを特徴とするデータ通信方法。
【請求項９】
前記応答信号生成ステップは、受信予定の前記複数宛先のデータを示す情報に基づき、所定時間経過しても受信予定の前記複数宛先のデータを受信できなかったとき、前記複数宛先のデータの受信に失敗したと判定することを特徴とする請求項８記載のデータ通信方法。
【請求項１０】
受信予定の前記複数宛先のデータを示す情報は、事前に前記他の通信装置から受信しているか、又は前記複数宛先のデータの最初及び最後に埋め込まれていることを特徴とする請求項９記載のデータ通信方法。
【請求項１１】
ネットワークを介して接続されている複数の他の通信装置との間でデータ通信を行う通信装置のデータ通信方法であって、
複数宛先のデータを前記複数の他の通信装置に送信する送信ステップと、
前記複数の他の通信装置の少なくとも一つから前記複数宛先のデータの受信失敗の応答信号を受信する受信ステップと、
受信した前記複数宛先のデータの受信失敗の応答信号に基づき、前記複数宛先のデータの再送を指示する再送判定ステップと
を備えたことを特徴とするデータ通信方法。
【請求項１２】
前記再送判定ステップは、前記受信手段が復元の出来ない応答信号を受信したとき、前記複数宛先のデータの受信失敗の応答信号を受信したものと判定することを特徴とする請求項１１記載のデータ通信方法。
【請求項１３】
前記再送判定ステップは、前記応答信号を受信するタイミングで、前記データ通信に利用している周波数帯で混信が発生したとき、前記複数宛先のデータの受信失敗の応答信号を受信したものと判定することを特徴とする請求項１１記載のデータ通信方法。
【請求項１４】
前記通信装置は、無線通信を行うことを特徴とする請求項８乃至１３何れか一項記載のデータ通信方法。
【請求項１５】
ネットワークを介して接続されている複数の通信装置を含み、一の通信装置と複数の他の通信装置との間でデータ通信を行うデータ通信システムであって、
前記複数の他の通信装置は、
前記一の通信装置から複数宛先のデータを受信する第１受信手段と、
前記複数宛先のデータの受信に失敗したとき、受信失敗の応答信号を生成する応答信号生成手段と、
前記一の通信装置に前記応答信号を送信する第１送信手段とを備え、
前記一の通信装置は、
前記複数宛先のデータを前記複数の他の通信装置に送信する第２送信手段と、
前記複数の他の通信装置の少なくとも一つから前記複数宛先のデータの受信失敗の応答信号を受信する第２受信手段と、
受信した前記複数宛先のデータの受信失敗の応答信号に基づき、前記複数宛先のデータの再送を前記第２送信手段に指示する再送判定手段とを備え
たことを特徴とするデータ通信システム。
【請求項１６】
前記応答信号生成手段は、受信予定の前記複数宛先のデータを示す情報に基づき、所定時間経過しても受信予定の前記複数宛先のデータを受信できなかったとき、前記複数宛先のデータの受信に失敗したと判定することを特徴とする請求項１５記載のデータ通信システム。
【請求項１７】
受信予定の前記複数宛先のデータを示す情報は、事前に前記複数の他の通信装置が前記一の通信装置から受信しているか、又は前記複数宛先のデータの最初及び最後に埋め込まれていることを特徴とする請求項１６記載のデータ通信システム。
【請求項１８】
前記再送判定手段は、前記第２受信手段が復元の出来ない応答信号を受信したとき、前記複数宛先のデータの受信失敗の応答信号を受信したものと判定することを特徴とする請求項１７記載のデータ通信システム。
【請求項１９】
前記再送判定手段は、前記応答信号を受信するタイミングで、前記データ通信に利用している周波数帯で混信が発生したとき、前記複数宛先のデータの受信失敗の応答信号を受信したものと判定することを特徴とする請求項１７記載のデータ通信システム。
【請求項２０】
前記通信装置は、無線通信を行うことを特徴とする請求項１５乃至１９何れか一項記載のデータ通信システム。
【発明の詳細な説明】
【技術分野】
【０００１】
本発明は、通信装置、データ通信方法およびデータ通信システムに係り、特に複数宛先のデータを送受信する通信装置、データ通信方法およびデータ通信システムに関する。
【背景技術】
【０００２】
例えばデータ通信が可能なネットワーク内では、単一の通信装置を指定してデータを送信するユニキャスト、複数の通信装置を指定して同じデータを送信するマルチキャストおよび不特定多数の通信装置に向かって同じデータを送信するブロードキャストが、データ通信の目的に合わせて利用されている。
【０００３】
ユニキャストではデータを受信した通信装置（以下、受信局という）がデータを送信した通信装置（以下、送信局という）へ受信確認（アクノリッジ：ＡＣＫ）を返す。ＡＣＫとは、データの受信に成功したことを受信局から送信局に応答するものである。
【０００４】
図１はユニキャストにおけるＡＣＫの例を示した説明図である。図１は自機が送信局である場合を表している。通常、ユニキャストでは受信局が送信局に対し、受信確認（アクノリッジ：ＡＣＫ）を返している。図１のユニキャストでは、送信フレームとしてユニキャストフレームを受信局に送信したあと、受信局から受信フレームとしてＡＣＫフレームを受信している。
【０００５】
一方、マルチキャスト，ブロードキャストでは受信局が送信局へＡＣＫを返すと、複数の受信局から送信局へＡＣＫを同時に返すことになり、混信してしまうため、ＡＣＫを返すことができなかった。
【０００６】
図２はマルチキャストにおけるＡＣＫの例を示した説明図である。図２は自機が送信局である場合を表している。図２に示すように、マルチキャストでは送信局が送信フレームとしてマルチキャストフレームを受信局に送信したあと、受信局から受信フレームとしてＡＣＫフレームを受信すると、混信してしまう。
【０００７】
また、複数宛先に同じデータを送信可能なマルチキャストおよびブロードキャストは電波にてデータ通信を行う無線通信との親和性が非常に高い。無線通信は、無線メディアが他の機器のノイズ等のために、通信に適切な状態でないことがあり、通信品質を確保するために、ユニキャストの場合、ＡＣＫフレームを返している。
【０００８】
一方、マルチキャスト，ブロードキャストの場合、ＡＣＫを返すと、複数の受信局から送信局へＡＣＫを同時に返すことになり、混信してしまうため、ＡＣＫを返すことができない。このため、マルチキャスト，ブロードキャストの場合、送信局は受信局が正しく受信できたかどうかの確認ができず、通信品質上の問題があった。
【０００９】
例えば特許文献１には、マルチキャストにおいてＡＣＫフレームを返さないことによる上記問題への解決策の一つとして、通信空き時間を利用して同一のデータを複数回送信する内容が記載されている。
【特許文献１】特許文献：特開平９−２６６４９３号公報
【発明の開示】
【発明が解決しようとする課題】
【００１０】
しかしながら、特許文献１に記載されている内容は、同一のデータを複数回送信することにより、初回のデータに欠落が生じた場合、後続のデータで欠落したデータを補うものである。特許文献１に記載されている内容は、同一のデータを複数回送信することで受信局が正しく受信できる確率を上げるものであるが、受信局が正しく受信できたかどうかを送信局で確認できるものではない。
【００１１】
特に無線通信は、有線通信に比べて無線メディアが他の機器のノイズ等のため通信に適切な状態でないことが多く、受信局が正しく受信できたかどうかを送信局で確認できないと通信品質を確保できないという問題があった。
【００１２】
本発明は、上記の点に鑑みなされたもので、複数宛先のデータをデータ通信するときの通信品質を向上させることができる通信装置、データ通信方法およびデータ通信システムを提供することを目的とする。
【課題を解決するための手段】
【００１３】
上記課題を解決するため、本発明は、ネットワークを介して接続されている複数の他の通信装置との間でデータ通信を行う通信装置であって、前記他の通信装置から複数宛先のデータを受信する受信手段と、前記複数宛先のデータの受信に失敗したとき、受信失敗の応答信号を生成する応答信号生成手段と、前記複数宛先のデータの送信元に前記応答信号を送信する送信手段とを備えたことを特徴とする。
【００１４】
また、本発明は、上記課題を解決するため、ネットワークを介して接続されている複数の他の通信装置との間でデータ通信を行う通信装置であって、複数宛先のデータを前記複数の他の通信装置に送信する送信手段と、前記複数の他の通信装置の少なくとも一つから前記複数宛先のデータの受信失敗の応答信号を受信する受信手段と、受信した前記複数宛先のデータの受信失敗の応答信号に基づき、前記複数宛先のデータの再送を前記送信手段に指示する再送判定手段とを備えたことを特徴とする。
【００１５】
また、本発明は、上記課題を解決するため、ネットワークを介して接続されている複数の他の通信装置との間でデータ通信を行う通信装置のデータ通信方法であって、前記他の通信装置から複数宛先のデータを受信する受信ステップと、前記複数宛先のデータの受信に失敗したとき、受信失敗の応答信号を生成する応答信号生成ステップと、前記複数宛先のデータの送信元に前記応答信号を送信する送信ステップとを備えたことを特徴とする。
【００１６】
また、本発明は、上記課題を解決するため、ネットワークを介して接続されている複数の他の通信装置との間でデータ通信を行う通信装置のデータ通信方法であって、複数宛先のデータを前記複数の他の通信装置に送信する送信ステップと、前記複数の他の通信装置の少なくとも一つから前記複数宛先のデータの受信失敗の応答信号を受信する受信ステップと、受信した前記複数宛先のデータの受信失敗の応答信号に基づき、前記複数宛先のデータの再送を指示する再送判定ステップとを備えたことを特徴とする。
【００１７】
また、本発明は、上記課題を解決するため、ネットワークを介して接続されている複数の通信装置を含み、一の通信装置と複数の他の通信装置との間でデータ通信を行うデータ通信システムであって、前記複数の他の通信装置は、前記一の通信装置から複数宛先のデータを受信する第１受信手段と、前記複数宛先のデータの受信に失敗したとき、受信失敗の応答信号を生成する応答信号生成手段と、前記一の通信装置に前記応答信号を送信する第１送信手段とを備え、前記一の通信装置は、前記複数宛先のデータを前記複数の他の通信装置に送信する第２送信手段と、前記複数の他の通信装置の少なくとも一つから前記複数宛先のデータの受信失敗の応答信号を受信する第２受信手段と、受信した前記複数宛先のデータの受信失敗の応答信号に基づき、前記複数宛先のデータの再送を前記第２送信手段に指示する再送判定手段とを備えたことを特徴とする。
【００１８】
本発明では、データの受信に失敗した通信装置がデータを送信した通信装置に対して受信失敗の応答信号を返すことで、データの受信側がデータの受信に失敗したことをデータの送信側で確認できるため、通信品質を向上させることが可能である。
【００１９】
なお、本発明の構成要素、表現または構成要素の任意の組合せを、方法、装置、システム、コンピュータプログラム、記録媒体、データ構造などに適用したものも本発明の態様として有効である。
【発明の効果】
【００２０】
本発明によれば、複数宛先のデータをデータ通信するときの通信品質を向上させることができる通信装置、データ通信方法およびデータ通信システムを提供可能である。
【発明を実施するための最良の形態】
【００２１】
次に、本発明を実施するための最良の形態を、以下の実施例に基づき図面を参照しつつ説明していく。なお、本実施例では無線通信を例に説明するが、有線通信や機器内通信への応用も可能である。
【００２２】
図３は複数の通信装置を含むデータ通信システムの一実施例の構成図である。図３に示すデータ通信システムは、１つの送信局１と、４つの受信局２Ａ〜２Ｄとを含むように構成されている。ここでは、送信局１から受信局２Ａ〜２Ｄにマルチキャストを行う例を説明する。なお、受信局２Ａ〜２Ｄの何れでもよい場合は単に受信局２と呼ぶ。
【００２３】
なお、送信局１及び受信局２Ａ〜２Ｄは例えば図４に示すようなハードウェア構成の通信装置１０により実現される。図４は通信装置の一例のハードウェア構成図である。通信装置１０は、制御部１１，Ｉ／Ｆ部１２，プロトコル処理部１３，変復調部１４，ＲＦ部１５を含む構成である。Ｉ／Ｆ部１２は、通信装置１０と接続された複合機（ＭＦＰ）やＰＣ等の機器１０とのインターフェースである。
【００２４】
プロトコル処理部１３は機器２０から受信したデータを所定のプロトコルに従って変換したあと変復調部１４に送信し、又は変復調部１４から受信した所定のプロトコルに従ったデータを元に戻したあと機器２０に送信する。変復調部１４は、プロトコル処理部１３から受信した所定のプロトコルに従ったデータ（変調信号）を変調し、その変調波をＲＦ部１５に送信する。また、変復調部１４はＲＦ部１５から受信した変調波を復調し、所定のプロトコルに従ったデータをプロトコル処理部１３に送信する。
【００２５】
ＲＦ部１５は、変復調部１４から受信した変調波を無線周波数（ＲＦ）に変換してアンテナから出力し、又はアンテナから入力された無線周波数の変調波を元の周波数に変換して変復調部１４に送信する。なお、制御部１１はＩ／Ｆ部１２，プロトコル処理部１３，変復調部１４及びＲＦ部１５を制御する。
【００２６】
図４に示すようなハードウェア構成により、通信装置１０は図５に示すような処理ブロックを実現する。図５は通信装置の一例の処理ブロック図である。通信装置１０は、送信部３１，受信部３２，インターフェース部３３，応答信号生成部３４，再送判定部３５を含む構成である。
【００２７】
送信部３１は送信局１へフレームを送信する。受信部３２は送信局１からのフレームを受信する。インターフェース部３３は機器２０とのインターフェースである。応答信号生成部３４はマルチキャストのフレームの受信に失敗したとき、受信失敗（ノットアクノリッジ：ＮＡＣＫ）の応答信号を生成する。再送判定部３５は受信局２からＮＡＣＫの応答信号を受信したとき、マルチキャストのフレームの再送を送信部３１に指示する。ＮＡＣＫとはマルチキャストのフレームの受信に失敗したことを受信局２から送信局１に応答するものである。
【００２８】
以下、図６のメッセージシーケンスチャートに基づいて本発明の説明を行う。図６は本発明によるデータ通信システムの処理手順を表した一例のメッセージシーケンスチャートである。
【００２９】
データ通信システムを構成する各通信装置１０（送信局１，受信局２Ａ〜２Ｄ）は通常の通信装置との互換性や信号品質が問題にならない通信への対応のため、マルチキャストのフレームに応答しないデータ通信も可能なことが望ましい。通常、マルチキャストのフレームに応答しないデータ通信を行っていると仮定すると、データ通信システムでは本発明によるマルチキャストのデータ通信を始めるに当たって、受信局２Ａ〜２Ｄが送信局１と通信可能であることの確認が必要である。例えば送信局１は、受信局２Ａ〜２Ｄが通信可能な位置にあることを確認する。
【００３０】
ステップＳ１〜Ｓ４では、送信局１が受信局２Ａ〜２Ｄへ、ユニキャストフレーム又はマルチキャストフレームで、本発明によるマルチキャストのデータ通信の開始を開始通知フレームで通知している。この開始通知フレームを受信した受信局２Ａ〜２ＤはステップＳ５〜Ｓ８に進み、本発明によるマルチキャストのデータ通信が開始可能であることを開始応答フレームで送信局１に応答する。
【００３１】
送信局１は、この段階で開始応答フレームを受信できなかった受信局２を、本発明によるマルチキャストのデータ通信に参加できないとみなす。もし、本発明によるマルチキャストのデータ通信に参加が必要な受信局２から開始応答フレームを受信できなかった場合には、再度、送信局１から開始通知フレームを受信局２Ａ〜２Ｄへ送信するか、エラー発生として本発明によるマルチキャストのデータ通信を中止する。
【００３２】
ステップＳ９〜Ｓ１２に進み、送信局１は受信局２Ａ〜２Ｄにマルチキャストフレームを送信する。ステップＳ９〜Ｓ１２では、受信局２Ａ〜２Ｄがマルチキャストフレームの受信に成功したものとする。なお、受信局２Ａ〜２Ｄがマルチキャストフレームの受信に成功したとき、本発明によるデータ通信システムでは特別な処理を行わない。
【００３３】
送信局１では、ステップＳ９〜Ｓ１２においてマルチキャストフレームを送信してからＮＡＣＫの応答信号（ＮＡＣＫフレーム）を所定時間の間、受信しなければステップＳ１３〜Ｓ１６に進む。ステップＳ１３〜Ｓ１６では、送信局１が受信局２Ａ〜２Ｄにマルチキャストフレームを送信する。ステップＳ１３〜Ｓ１６では、受信局２Ａ〜２Ｄがマルチキャストフレームの受信に成功したものとする。ステップＳ９〜Ｓ１２と同様、受信局２Ａ〜２Ｄがマルチキャストフレームの受信に成功したため、本発明によるデータ通信システムでは特別な処理を行わない。
【００３４】
送信局１では、ステップＳ１３〜Ｓ１６においてマルチキャストフレームを送信してからＮＡＣＫの応答信号（ＮＡＣＫフレーム）を所定時間の間、受信しなければステップＳ１７〜Ｓ２０に進む。
【００３５】
ステップＳ１７〜Ｓ２０では、送信局１が受信局２Ａ〜２Ｄにマルチキャストフレームを送信する。ステップＳ１７〜Ｓ２０では、受信局２Ｄが何らかの理由によりマルチキャストフレームの受信に失敗したものとする。なお、受信局２Ｄは所定時間の間、マルチキャストフレームを受信しなかった場合、受信したマルチキャストフレームが壊れていて復元できなかった場合に、マルチキャストフレームの受信に失敗したものと判定する。
【００３６】
ステップＳ２１に進み、受信局２ＤはＮＡＣＫフレームを生成し、ＮＡＣＫフレームを送信局１に送信することで、マルチキャストフレームの受信に失敗したことを送信局１に応答する。なお、受信局２ＤからＮＡＣＫフレームを受信すると、送信局１はステップＳ２２〜Ｓ２５に進み、受信局２Ａ〜２Ｄにマルチキャストフレームを再送する。
【００３７】
マルチキャストフレームの受信に成功している受信局２Ａ〜２Ｃは再送されたマルチキャストフレームを無視してもよいし、ステップＳ２２〜Ｓ２４で再送されたマルチキャストフレームを採用するようにしてもよい。
【００３８】
送信局１では、ステップＳ２２〜Ｓ２５においてマルチキャストフレームを再送してからＮＡＣＫの応答信号（ＮＡＣＫフレーム）を所定時間の間、受信しなければステップＳ２６〜Ｓ２９に進む。ステップＳ２２〜Ｓ２５では、受信局２Ａ〜２Ｄがマルチキャストフレームの受信に成功したものとする。
【００３９】
ステップＳ２６〜Ｓ２９では、送信局１が受信局２Ａ〜２Ｄにマルチキャストフレームを送信する。ステップＳ２６〜Ｓ２９では、受信局２Ｃ，２Ｄが何らかの理由によりマルチキャストフレームの受信に失敗したものとする。
【００４０】
ステップＳ３０，Ｓ３１に進み、受信局２Ｃ，２ＤはＮＡＣＫフレームを生成し、ＮＡＣＫフレームを送信局１に送信することで、マルチキャストフレームの受信に失敗したことを送信局１に応答しようとする。受信局２Ｃ，２ＤがＮＡＣＫフレームを送信するタイミングは同時になる可能性がある。この場合、送信局１は混信によってＮＡＣＫフレームが復元できない状態になる可能性が高い。
【００４１】
送信局１は、ＮＡＣＫフレームが受信されるタイミングで無線メディアがビジーになったときに、受信局２がマルチキャストフレームの受信に失敗したと予想できる。ＮＡＣＫフレームが受信されるタイミングで無線メディアがビジーになったとき、送信局１はＮＡＣＫフレームを受信したものと判定する。そして、送信局１はステップＳ３２〜Ｓ３５に進み、受信局２Ａ〜２Ｄにマルチキャストフレームを再送する。
【００４２】
無線メディアがビジーになるとは、無線メディアが使用している周波数帯に何らかの電波が発生している状態である。無線通信の一例としてのワイヤレスＵＳＢでは、ＭＡＣで検知する場合、ＣＣＡ＿ＳＴＡＴＵＳ信号がアクティブになっている状態か否かで無線メディアがビジーになっているか否かを判定できる。ワイヤレスＵＳＢは、ＵＳＢを拡張した超広帯域無線（ＵＷＢ）技術を基盤とした無線インターフェースである。ＣＣＡ＿ＳＴＡＴＵＳ信号の詳細は、ワイヤレスＵＳＢのＰＨＹ仕様書に記載されている。
【００４３】
送信局１では、ステップＳ３２〜Ｓ３５においてマルチキャストフレームを再送してからＮＡＣＫフレームを所定時間の間、受信しなければ受信局２Ａ〜２Ｄがマルチキャストフレームの受信に成功したものと判定する。
【００４４】
送信局１で想定しているマルチキャストフレームの送信が全て終わるか、データ通信を中止する場合には、終了処理を行うことが望ましい。例えば終了通知フレームを送信局１から受信局２Ａ〜２Ｄに送信する終了処理によって、受信局２Ａ〜２Ｄはマルチキャストフレームに応答しない通常のデータ通信に戻ることができる。
【００４５】
なお、終了処理を行わない場合は、開始通知フレームで終了時間またはフレーム数を設定しておくことにより、タイムアウト処理またはフレーム数アウト処理によって終了処理を行うこともできる。開始通知フレームでフレーム番号を設定しておくことにより、そのフレーム番号に達したときに終了処理を行うこともできる。
【００４６】
さらに、ＷｉＭｅｄｉａ規格ではベンダー独自のコマンドフレームが許されており、独自フレームによって本発明によるマルチキャストのデータ通信を行えば開始通知フレームおよび終了通知フレームを省略できる。
【００４７】
本発明は、具体的に開示された実施例に限定されるものではなく、特許請求の範囲から逸脱することなく、種々の変形や変更が可能である。
【図面の簡単な説明】
【００４８】
【図１】ユニキャストにおけるＡＣＫの例を示した説明図である。
【図２】マルチキャストにおけるＡＣＫの例を示した説明図である。
【図３】複数の通信装置を含むデータ通信システムの一実施例の構成図である。
【図４】通信装置の一例のハードウェア構成図である。
【図５】通信装置の一例の処理ブロック図である。
【図６】本発明によるデータ通信システムの処理手順を表した一例のメッセージシーケンスチャートである。
【符号の説明】
【００４９】
１    送信局
２，２Ａ〜２Ｄ    受信局
１０    通信装置
１１    制御部
１２    Ｉ／Ｆ部
１３    プロトコル処理部
１４    変復調部
１５    ＲＦ部
２０    機器
３１    送信部
３２    受信部
３３    インターフェース部
３４    応答信号生成部
３５    再送判定部
【図１】
2007306498.tif 000003
【図２】
2007306498.tif 000004
【図３】
2007306498.tif 000005
【図４】
2007306498.tif 000006
【図５】
2007306498.tif 000007
【図６】
2007306498.tif 000008